(57)【要約】【課題】  採血作業者が確実に患者毎に採血ホルダーと採血針とを交換することができ、かつ、採血作業者の作業も軽減させることができる真空採血管用採血針付き採血ホルダーを提供すること。【解決手段】  本発明に係る真空採血管用採血針付き採血ホルダーは、真空採血管を着脱可能な採血ホルダーに、採血針を取外してきないように固定して成ることを特徴とする。【選択図】    図１
2005342100.tif 000002
【特許請求の範囲】
【請求項１】
真空採血管を着脱可能な採血ホルダーに、採血針を取外しでてきないように固定して成る
ことを特徴とする真空採血管用採血針付き採血ホルダー。
【請求項２】
採血ホルダーの一端に、採血ホルダーの外方に向けて突出する採血針装着部を一体的に形成する一方、
採血針に、前記採血針装着部内に嵌合可能な外形を有する採血針装着体を一体的に設け、
前記採血針装着部及び採血針装着体の少なくとも一方を、採血針装着体を採血針装着部に嵌合する時に、採血ホルダーの軸線方向に略直交する方向に変形可能に構成すると共に、
前記採血針装着部及び採血針装着体の何れか一方に切欠部を形成し、他方に前記切欠部に係合可能な突起部を形成し、
採血針装着部及び採血針装着体の少なくとも一方を変形させながら、採血針装着体を採血針装着部に嵌合し、前記切欠部に突起部が係止した後に、変形した採血針装着部及び／又は採血針装着体が復元して採血針が採血ホルダーに取外しできないように固定される
ことを特徴とする請求項１に記載の真空採血管用採血針付き採血ホルダー。
【請求項３】
採血ホルダーの一端に、内面に雌螺子が形成された採血針装着部を設け、
採血針に、前記雌螺子と螺合可能な雄螺子を有する採血針装着体を一体的に設け、
前記雌螺子及び／又は雄螺子を、一度、螺合した後は取外しできないように構成した
ことを特徴とする請求項１に記載の真空採血管用採血針付き採血ホルダー。
【請求項４】
採血ホルダーの一端に、熱接着樹脂より成る採血針装着部を設け、
採血針に、前記採血針装着部に嵌合可能な形状の熱接着樹脂より成る採血針装着体を設け、
前記採血針装着体を前記採血針装着部に嵌合した後、採血針装着体と採血針装着部とを接着して成る
ことを特徴とする請求項１に記載の真空採血管用採血針付き採血ホルダー。
【請求項５】
採血ホルダーが、真空採血管を抜き差しする採血針の端部を滅菌状態に保持できるようシーリングされている
ことを特徴とする請求項１〜４の何れか一項に記載の真空採血管用採血針付き採血ホルダー。
【発明の詳細な説明】
【技術分野】
【０００１】
本発明は、患者の採血に使用する真空採血管用採血針付き採血ホルダーに関する。
【背景技術】
【０００２】
近年、採血業務の簡素化、効率化を可能にするために、注射器による採血から真空採血管を使用した採血に移行している。
そして、真空採血管を使用する場合には、従来から真空採血管を着脱可能な採血ホルダーが用いられている。
この採血ホルダーは、採血針とは別体に構成されており、使用時に採血作業者が採血針を採血ホルダーに装着した後、真空採血管を交換しながら採血を行うように構成されている（特許文献１参照）。
【０００３】
【特許文献１】特開H07−204180号公報
【発明の開示】
【発明が解決しようとする課題】
【０００４】
上記した採血ホルダーは、採血作業者が採血針を着脱できるように構成されているため、採血作業者は患者毎に採血針を交換し、これにより感染症等を予防している。
発明者は、上記した従来の採血方法に着目し、実際には採血中に採血ホルダーに血液が付着する可能性があるため採血針を交換するだけでは十分な感染症の予防にはならず、採血ホルダーごと患者毎に交換するべきであることに着目した。
しかし、採血ホルダーと採血針とが着脱可能に構成されていると、採血ホルダーの患者毎の交換を推奨したとしても、例えば、予備の採血針等が残っている場合には、採血針の交換のみで採血が行われてしまう可能性がある。また、費用の問題から患者ごとに採血ホルダーを交換していても、使用済みの採血ホルダーを洗浄して再利用する場合も考えられる。さらに、採血作業者の立場に立って考えてみても、採血針の交換は採血後の採血針に直接触れてしまう可能性が高いので好ましいとはいえず、また、採血針に直接触れないように採血ホルダーにカバーを設けている例もあるが、採血針を誤って刺してしまう危険を皆無にすることは難しく、作業性の煩雑さもある。
本発明は、上記した従来の問題点を解決し、採血作業者が確実に患者毎に採血ホルダーと採血針とを交換することができ、かつ、採血作業者の作業も軽減させることができる真空採血管用採血針付き採血ホルダーを提供することを目的としている。
【課題を解決するための手段】
【０００５】
上記した目的を達成するために本発明に係る真空採血管用採血針付き採血ホルダーは、真空採血管を着脱可能な採血ホルダーに、採血針を取外してきないように固定して成ることを特徴とする。
前記採血ホルダーは、例えば、採血ホルダーの一端に、採血ホルダーの外方に向けて突出する採血針装着部を一体的に形成する一方、採血針に、前記採血針装着部内に嵌合可能な外形を有する採血針装着体を一体的に設け、前記採血針装着部及び採血針装着体の少なくとも一方を、採血針装着体を採血針装着部に嵌合する時に、採血ホルダーの軸線方向に略直交する方向に変形可能に構成すると共に、前記採血針装着部及び採血針装着体の何れか一方に切欠部を形成し、他方に前記切欠部に係合可能な突起部を形成し、採血針装着部及び採血針装着体の少なくとも一方を変形させながら、採血針装着体を採血針装着部に嵌合し、前記切欠部に突起部が係止した後に、変形した採血針装着部及び／又は採血針装着体が復元して採血針が採血ホルダーに取外しできないように固定され得る。
また、前記採血ホルダーは、例えば、採血ホルダーの一端に、内面に雌螺子が形成された採血針装着部を設け、採血針に、前記雌螺子と螺合可能な雄螺子を有する採血針装着体を一体的に設け、前記雌螺子及び／又は雄螺子を、一度、螺合した後は取外しできないように構成され得る。
さらに、前記採血ホルダーは、例えば、採血ホルダーの一端に、熱接着樹脂より成る採血針装着部を設け、採血針に、前記採血針装着部に嵌合可能な形状の熱接着樹脂より成る採血針装着体を設け、前記採血針装着体を前記採血針装着部に嵌合した後、採血針装着体と採血針装着部とを接着することにより構成され得る。
好ましくは、採血ホルダーは、真空採血管を抜き差しする採血針の端部を滅菌状態に保持できるようシーリングされ得る。これは、具体的には、例えば、採血ホルダーにおける真空採血管挿入側の端部の全面をシーリングすることにより達成され得るが、例えば、採血ホルダーの内部で真空採血針の端部を保護するように、真空採血針の端部を覆う有底筒状体を採血ホルダーの内部に配置することでも達成され得る。
【発明の効果】
【０００６】
本発明に係る真空採血管用採血針付き採血ホルダーは、真空採血管を着脱可能な採血ホルダーに、採血針を取外してきないように固定して成るので、採血作業者が採血針を着脱することができない。その結果、例えば、予備の採血針が残っているような状況であっても、確実に患者毎に採血ホルダーと採血針とを交換することが可能であり、また洗浄して再利用することが不可能になるという効果を奏する。これにより、採血による感染症等を確実に予防することができ、また、衛生面での効果も高く、さらに、採血作業者の採血針交換作業を無くすことができるので、採血作業者の作業軽減に繋がる。
また、前記真空採血管用採血針付き採血ホルダーを、例えば、採血ホルダーの一端に、採血ホルダーの外方に向けて突出する採血針装着部を一体的に形成する一方、採血針に、前記採血針装着部内に嵌合可能な外形を有する採血針装着体を一体的に設け、前記採血針装着部及び採血針装着体の少なくとも一方を、採血針装着体を採血針装着部に嵌合する時に、採血ホルダーの軸線方向に略直交する方向に変形可能に構成すると共に、前記採血針装着部及び採血針装着体の何れか一方に切欠部を形成し、他方に前記切欠部に係合可能な突起部を形成し、採血針装着部及び採血針装着体の少なくとも一方を変形させながら、採血針装着体を採血針装着部に嵌合し、前記切欠部に突起部が係止した後に、変形した採血針装着部及び／又は採血針装着体が復元して採血針が採血ホルダーに取外しできないように固定するように構成することにより、採血針をワンタッチで採血ホルダーに装着することができ、しかも、装着後は採血針が採血ホルダーから取り外すことができなくなるので、製造が容易になるという効果を奏する。
【発明を実施するための最良の形態】
【０００７】
以下、添付図面に示した一実施例を参照して本発明に係る真空採血管用採血針付き採血ホルダーの実施の形態について説明していく。
【０００８】
図１（ａ）は、本発明に係る真空採血管用採血針付き採血ホルダーの採血針固定前の状態を示す図であり、図１（ｂ）は採血針固定後の状態を示す図であり、図２（ａ）〜（ｃ）は、採血ホルダーに採血針を固定する過程を示す図１に示した採血針装着部及び採血針装着体の拡大図である。
図中、符号１は採血ホルダー、符号１０は採血針を示している。
この採血ホルダー１は、プラスチック樹脂で成形された筒状の形状である。
採血ホルダー１の一方の端部には、採血針１０を装着するための採血針装着部２が、採血管ホルダーと同じ材料で一体成形されている。
この採血針装着部２は、図面に示すように、採血ホルダー１の外方に向けて突出し、採血ホルダー１の軸線方向ａに対して直交する方向ｂに変形できるように少なくとも一つのスリット（図示せず）を有する。
また、この採血針装着部２は、その内面に切欠部２ａが形成されている。
採血針１０には、採血針装着体１１が固定されている。この採血針装着体１１は、採血針装着部２に嵌合可能な外形を有し、採血針装着部２の切欠部２ａに係止可能な突起部１１ａを備えている。
上記したように構成された採血針１０は、採血管ホルダー１とに取外しができないように一体的に固定される。
以下に、採血針１０を採血管ホルダー１に固定する方法について図２を参照しながら説明していく。
採血針１０を採血管ホルダー１の採血針装着部２へ挿入する（図２（ａ））。
採血針１０の採血針装着体１１は、採血針装着部２を押し広げながら採血針装着部２内へ挿入されていく（図２（ｂ））。
採血針装着体１１の突起部１１ａが、採血針装着部２の切欠部２ａに係合すると、採血針装着部２は元の形状に復元される。この状態において、採血針装着部２は、採血針装着体１１を隙間無く覆い、採血針装着体１１を保持する（図２（ｃ））。
前記突起部１１ａと切欠部２ａとは、一度係合した後は、採血針１０を抜く方向に引っ張られても外れないような形状に形成されている。
上記の構成により、採血針１０は採血ホルダー１に取外しができないように一体的に固定される。
【０００９】
上記した実施例では、採血針１０を取り付ける時に採血針装着部２が変形するように構成されているが、これは本実施例に限定されることなく、例えば、採血針１０に設けられた採血針装着体１１が変形するように構成してもよい。
また、上記した実施例では、採血針装着部２は円筒状に形成され、採血針装着体１１は円柱状に形成されているが、これは本実施例に限定されることなく、例えば、図３に示すように、相互に合致するようにテーパー状に形成してもよい。
【００１０】
次に、図４を参照して、本発明に係る真空採血管用採血針付き採血ホルダーの第２実施例について説明していく。
尚、第１実施例と同一の構成要素及び類似の機能を果たす構成要素については、第１実施例と同じ符号を付す。
この実施例では、採血ホルダー１の採血針装着部２には、内面に雌螺子が形成されている。
また、採血針１０に固定された採血針装着体１１には、採血針装着部２の雌螺子に対応する雄螺子が形成されている。
前記雌螺子及び／又は雄螺子は、螺子込み末端部に螺合のガイドが楔形状に形成されており、螺子込みを最後まで行った後に取り外そうとしても楔形状部分でロックがかかってしまい、一度螺子込むと取外しできないように構成されている。
上記の構成により、採血針１０は採血ホルダー１に取外しができないように一体的に固定される。
【００１１】
次に、図５を参照して、本発明に係る真空採血管用採血針付き採血ホルダーの第３実施例について説明していく。
尚、第１実施例と同一の構成要素及び類似の機能を果たす構成要素については、第１実施例と同じ符号を付す。
この実施例では、採血ホルダー１は、円柱状の採血針装着部２を有する。採血ホルダー１と採血針装着部２とは熱溶着樹脂により一体成形されている。
採血針１０には、前記採血針装着部２に嵌合可能な円柱状の採血針装着体１１が固定されている。この採血針装着体１１は、採血針装着部２と同様、熱溶着樹脂により形成されている。
採血針１０を、その採血針装着体１１が採血針装着部２に嵌合するよう採血ホルダー１に取り付けた後、超音波シール等の適当な方法で、採血針装着体１１と採血針装着部２とを熱溶着する。
上記の構成により、採血針１０は採血ホルダー１に取外しができないように一体的に固定される。
【００１２】
最後に、図６を参照して、採血針固定後の採血ホルダーのシーリングについて説明してく。
採血針１０が装着された採血ホルダー１は、採血針１０における真空採血管を着脱する側の端部を滅菌状態に保持するために適当なシーリングが施される。
図６（ａ）は、採血ホルダー１の真空採血管挿入側の端部１ａ全体をシール部材２０によりシールした実施例である。このシール部材２０は、使用時に剥離できるように取り付けられていてもよく、また、使用時に真空採血管により押し破ることができるように取り付けられていてもよい。
図６（ｂ）は、採血ホルダー１の内部に、採血針１０における真空採血管を着脱する側の端部を滅菌状態に保持するための有底円筒状のシール部材２１を装着した実施例を示している。この場合、シール部材２１は、採血ホルダー１の成形時に一体成形されていてもよく、また、製造時に後から装着するように構成されていてもよい。この場合、シール部材２１の底面は、使用時に真空採血管により押し破ることができるように構成され得る。
【００１３】
尚、以上説明した実施例では図示していないが、採血針１０の採血側にはキャップが装着されており、また、採血針１０の真空採血管が抜き差しされる側の端部はゴム材料で封止されている。
【００１４】
以上、本発明に係る真空採血管用採血針付き採血ホルダーの様々な実施例を説明してきたが、本発明は上記した実施例に限定されることなく、採血ホルダーに採血針を取外してきないように固定するように構成されていれば任意の構成でよく、例えば、採血ホルダー成形時に採血針を一体的にモールドするように構成してもよいことは勿論である。
【図面の簡単な説明】
【００１５】
【図１】（ａ）は、本発明に係る真空採血管用採血針付き採血ホルダーの第１実施例の採血針固定前の状態を示す図であり、図１（ｂ）は採血針固定後の状態を示す図である。
【図２】（ａ）〜（ｃ）は、採血ホルダーに採血針を固定する過程を示す図１に示した採血針装着部及び採血針装着体の拡大図である。
【図３】採血針装着部及び採血針装着体の変形例を示す図である。
【図４】（ａ）は、本発明に係る真空採血管用採血針付き採血ホルダーの第２実施例の採血針固定前の状態を示す図であり、図１（ｂ）は採血針固定後の状態を示す図である。
【図５】（ａ）は、本発明に係る真空採血管用採血針付き採血ホルダーの第３実施例の採血針固定前の状態を示す図であり、図１（ｂ）は採血針固定後の状態を示す図である。
【図６】（ａ）及び（ｂ）は、各々採血ホルダーのシーリングの実施例を示す図である。
【符号の説明】
【００１６】
１  採血ホルダー
２  採血針装着部
２ａ  切欠部
１０  採血針
１１  採血針装着体
１１ａ  突起部
ａ  採血管ホルダーの軸線方向
ｂ  採血針装着部の変形可能方向
２０  シール部材
２１  シール部材
【図１】
2005342100.tif 000003
【図２】
2005342100.tif 000004
【図３】
2005342100.tif 000005
【図４】
2005342100.tif 000006
【図５】
2005342100.tif 000007
【図６】
2005342100.tif 000008